(57)【要約】【課題】液晶テレビ等のテレビにおいて、地震発生等の緊急災害情報を瞬時に表示して警報することを可能とする。【解決手段】デジタル放送チューナーが、被圧縮の画像データを受信した際、あるいは、電子番組表データに緊急災害情報が重畳された受信データを受信した際、緊急情報識別信号を出力する緊急情報識別信号出力手段を備え、この緊急情報識別信号に基づいて、表示処理部のＯＳＤ処理部を直接制御し、テレビのデコーダ、映像処理部、表示処理部で処理することなく、緊急災害情報を瞬時に表示できるようにする。【選択図】図１
2011061409.tif 000002
【特許請求の範囲】
【請求項１】
デジタル放送チューナーが受信した画像信号を、デコーダ、映像処理部及び表示処理部を介して表示するテレビにおいて、
前記デジタル放送チューナーが、被圧縮の画像データを受信した際、緊急情報識別信号を出力する緊急情報識別信号出力手段を備え、該緊急情報識別信号に基づいて、前記表示処理部のＯＳＤ表示を制御するＯＳＤ制御部を直接作動させ、受信した被圧縮の画像データに基づいて緊急災害情報を表示させるようにしたテレビ。
【請求項２】
デジタル放送チューナーが受信した画像信号を、デコーダ、映像処理部及び表示処理部を介して表示するテレビにおいて、
前記デジタル放送チューナーが、電子番組表データに緊急災害情報が重畳された受信データを受信した際、緊急情報識別信号を出力する緊急情報識別信号出力手段を備え、該緊急情報識別信号に基づいて、前記表示処理部のＯＳＤ表示を制御するＯＳＤ制御部を直接作動させ、受信した緊急災害情報を表示させるようにしたテレビ。
【請求項３】
予め定めた音声による緊急災害警報を記憶しておき、前記デジタル放送チューナーが、被圧縮データを受信した際、予め定められた音量でスピーカから音声による緊急災害警報を通報するにした音声処理装置を備えた請求項１または２に記載のテレビ。
【発明の詳細な説明】
【技術分野】
【０００１】
本発明は、地震、津波、気象等による災害発生の危険が生じたとき、緊急防災情報を住民に短時間かつ確実に伝えるための緊急防災情報通報機能を備えたテレビに関するものである。
【背景技術】
【０００２】
従来から、緊急防災情報表示装置としては、特許文献１にみられるように、通信衛星回線、地上有線専用回線、気象衛星、文字放送、ＦＭ放送、中波放送、インターネット等を利用して、気象庁発令の地震・津波・気象警報等の各種情報発信媒体からの情報入手を確実に行い、緊急防災情報の住民への到達性を改良することが提案されている。
【０００３】
特許文献２には、緊急時における緊急放送を自動受信するとともに、非常災害時の安否情報を速やかに取得し、緊急情報として提供可能とする緊急情報放送システム、及び、緊急情報視聴端末を用いて、緊急情報放送システムから緊急情報放送を提供することが提案されている。
なお、特許文献２における緊急情報視聴端末は、電源オフの状態で、通信回線を介して緊急情報通知を受信可能な状態で待機しておき、緊急情報通知を受信したときに放送受信手段や表示手段の電源をオンにすることによって、放送を受信していない状態の省電力化を図るようにしている。
【０００４】
さらに、特許文献３には、テレビやラジオによる緊急防災情報の伝達には、住民への伝達性の不確実性、時間遅れが懸念されることから、マイクロコンピュータが加速度センサーの情報を読込み、デジタル信号処理を行い、地震の有無または地震の強さを推定した結果に応じて、利用者が自由に予め記録装置に保存したメッセージで警報を行うことが提案されている。
【先行技術文献】
【特許文献】
【０００５】
【特許文献１】特開２００１−７６２７６号公報
【特許文献２】特開２００３−３４８０３４号公報
【特許文献３】特開２００９−２５２８１号公報
【発明の概要】
【発明が解決しようとする課題】
【０００６】
ところで、近年特に発生が危惧されている東海地震に備え、気象庁は、テレビ等を介して通報する緊急防災情報として、従来の緊急警報放送に加え、緊急地震速報の導入を進めている。
従来の緊急警報放送は、放送局から「ピロピロ」という警報音を兼ねた信号を送ることによって、特定の機能を持つ受信機を自動的に作動させ、深夜などでも災害情報を伝えようというもので、自動で電源ＯＮする機種も開発されている。
ＮＨＫでは、津波警報や大規模地震の警戒宣言などを、テレビとラジオのすべての放送波で、人命や財産に重大な影響がある、以下の３つの場合に限り放送を行っている。
・東海地震の警告宣言が発せられた場合
・津波警報が発せられた場合
・地方自治体の長から避難命令などの要請があった場合
【０００７】
これに対し、緊急地震速報は、地震発生時のＰ波をとらえ、地震の規模や震源地を予測し、大きな揺れのＳ波が来る数秒から数十秒前に発表するもので、気象庁は、震度５弱以上と予測された時発表を予定している。
放送の際に自動的にテレビやラジオのスイッチが入ることはないが、わずかな時間を活かして地震の被害を減らすことができるものと期待されている。
【０００８】
しかし、特許文献１や２に示されるような緊急防災情報表示システムは、通常放送と区別することができない緊急地震速報を想定しておらず、現在課題となっているデジタル放送における表示遅延に対応することは不可能である。
つまり、緊急地震速報を受信機が受信したとしても、デジタル放送を受信する際には、圧縮された受信データをデコーダ、映像処理部で処理し、画像データに展開した後、表示処理部において制御する液晶等の表示パネル部に表示されることになることから、実際に受信装置による警報が発信されるまでに何秒かの時間を要することになる。
【０００９】
前記デジタル放送に対しアナログ放送においても同様のシステムが構築可能であるが、アナログ放送は圧縮された放送が送信されてくるものではないため、伸長する時間が必要なく、デジタル放送と比較して表示まで早いという利点があるが、アナログ放送は早晩デジタル放送に全面的に移行する予定であることから、近年、デジタル放送においても、緊急地震速報を緊急警報信号として送信する際にはデータを圧縮せず、その分表示するまでの時間を短くさせたり、電子番組表データに緊急地震速報データを重畳させるといった試みが検討されている。
しかし、このような試みがなされたとしても、緊急警報放送自体を表示させるまでは、ユーザが緊急防災事例の発生を認知することができない点は以前と同様であり、１秒でも早くユーザに危険を認知させることを求められるシステムとして十分なものではない。
【００１０】
また、特許文献３にように、マイクロコンピュータを使用すればこのような問題を回避し得る可能性はあるが、高精度の加速度センサーや個別のプログラムが必要とされ、しかも、マイクロコンピュータを２４時間常時起動しておく必要があり、コスト面、省エネ面で大きな課題が残り、普及を阻む要因となっている。
【００１１】
本発明では、液晶テレビ等のテレビにおいて、ＯＳＤ（オンスクリーンディスプレイ）機能を利用することにより、地震発生等の緊急地震速報を瞬時に表示して警報することを可能とし、上記の課題を解決することを目的としている。
【課題を解決するための手段】
【００１２】
そこで、本発明は次のような緊急防災情報通報機能を備えたテレビを提供する。
（１）デジタル放送チューナーが受信した画像信号を、デコーダ、映像処理部及び表示処理部を介して表示するテレビにおいて、前記デジタル放送チューナーが、被圧縮の画像データを受信した際、緊急情報識別信号を出力する緊急情報識別信号出力手段を備え、該緊急情報識別信号に基づいて、前記表示処理部のＯＳＤ表示を制御するＯＳＤ制御部を直接作動させ、受信した被圧縮の画像データに基づいて緊急災害情報を表示させるようにしたテレビ。
（２）デジタル放送チューナーが受信した画像信号を、デコーダ、映像処理部及び表示処理部を介して表示するテレビにおいて、前記デジタル放送チューナーが、電子番組表データに緊急災害情報が重畳された受信データを受信した際、緊急情報識別信号を出力する緊急情報識別信号出力手段を備え、該緊急情報識別信号に基づいて、前記表示処理部のＯＳＤ表示を制御するＯＳＤ制御部を直接作動させ、受信した緊急災害情報を表示させるようにしたテレビ。
（３）上記（１）、（２）のテレビにおいて、予め定めた音声による緊急警報を記憶しておき、前記デジタル放送チューナーが、被圧縮データを受信した際、予め定められた音量でスピーカから音声による緊急警報を通報するにした音声処理装置を備えたテレビ。
【発明の効果】
【００１３】
本発明のテレビによれば、デジタル放送チューナーが被圧縮データを受信した際、あるいは電子番組表データに緊急災害情報が重畳された受信データを受信した際、デコーダ、映像処理で処理することなく、表示処理部のＯＳＤ制御部を直接作動させて緊急災害情報を瞬時に表示することが可能となり、本震の到達までの時間が確保することが可能になる。
【００１４】
さらに、予め定めた音声による緊急警報を記憶しておき、デジタル放送チューナーが被圧縮データを受信した際、予め定められた音量でスピーカから緊急警報を通報すれば、テレビ画面に注視していない場合でも、緊急災害速報が発令されたことを即座に認知することができる。
【図面の簡単な説明】
【００１５】
【図１】本発明を液晶テレビに適用した際の全体ブロック図を示す。
【図２】従来の液晶テレビの全体ブロック図を示す。
【発明を実施するための形態】
【実施例】
【００１６】
図２は、従来の一般的な液晶テレビの全体ブロック図を示し、デジタル放送チューナー１からなる受信装置から受信した画像信号は、デコーダ３、映像処理部４、表示処理部５で処理された後、表示パネル７に表示される。デコーダ３では、圧縮された動画データを伸張し、映像処理部４では図示しないメモリに記憶した後展開し、表示処理部４にて表示パネルに適したフォーマットに変換後、表示パネル７にて表示されるようになっている。
したがって、前述のようにデジタル放送の受信から表示までには圧縮データを伸張する必要があるため、アナログ放送受信時と比較し、表示までに時間を要することになる。
なお、表示処理部５は、チャンネル表示、ボリューム表示、各種設定状態等を表示するＯＳＤ（オンスクリーンディスプレイ）処理部６を備えており、マイコン８の制御により表示パネル７にＯＳＤを重ねて瞬時に表示することが可能である。
【００１７】
ところで、前述のとおり、放送局が大地震や津波等の災害時放送する緊急災害放送には緊急地震速報と緊急警報放送の２種類があり、緊急地震速報は気象庁の新しい防災情報で、画像として緊急情報を送信してくるものである。一方、緊急警報放送は放送局が緊急警報信号と呼ばれる特別な信号を前置したうえで臨時に行う放送であり、一種のデータ放送になる。
【００１８】
デジタル放送の場合、緊急警報信号は緊急警報放送識別子というデータで送信されてくるため通常の放送とは区別可能であるが、現状の緊急地震速報は通常の放送と区別することはできない。そのため、現行アナログ放送に対し、地上波デジタル放送では、映像や音声データを圧縮して送信し、家庭の受信機で元に戻すため、２〜５秒遅れて表示されることになる。
【００１９】
そこで、緊急地震速報送信時には非圧縮のデータを送るという新たな試みが検討されているが、伸張をする必要がなくとも、受信した映像データそのものを表示するには、デコーダ３、映像処理部４及び表示処理部５で処理することが必要となり、一刻でも速い表示が求められているにもかかわらず、緊急地震速報では表示されるまでに一定の時間がかかってしまう。
本発明では、受信したデータが非圧縮であるという情報を入手したならば、先に示したＯＳＤ機能を使用し、緊急地震速報が表示可能になるまでの間に、緊急情報が発せられたことを素早く表示させることを可能にしたもので、図１に実施例を示す。
【００２０】
すなわち、デジタル放送チューナー１において、緊急地震速報受信を意味する受信データが非圧縮であるという情報を受け取ったならば、デジタル放送チューナー１から緊急情報識別信号１０として出力し、マイコン８に伝達する。マイコン８では入力された緊急情報識別信号１０により、予め設定されている緊急情報を表示するため、デコーダ３、映像処理部４、表示処理部５で処理することなく、表示処理部５のＯＳＤ処理部６を直接制御し、表示パネル７には緊急情報が瞬時に表示され、ユーザが地震の発生を認知することができる。
なお、ＯＳＤ表示によりユーザが地震発生を認知したのち本来の緊急地震速報の表示がなされ、地震に関する詳細な情報を入手する必要があるため、ＯＳＤ表示の表示時間は数秒間であることが望ましいと考えられる。
【００２１】
また、近年、緊急地震速報において電子番組表であるＧガイドを利用した緊急災害情報の配信も検討されているが、Ｇガイドを利用した場合も重畳している緊急地震速報受信を意味する受信データを受け取ったならば、デジタル放送チューナー１から緊急情報識別信号１０が出力可能であり、ユーザに地震の発生を素早く認知させることができる。
更にこれまでの緊急警報放送受信時においても、受信した緊急警報放送識別子を元にデジタル放送チューナー１から緊急情報識別信号１を出力することは可能であり、この場合でも、マイコン８では入力された緊急情報識別信号１０により、デコーダ３、映像処理部４、表示処理部５で処理することなく、表示処理部５のＯＳＤ処理部６を直接制御し、表示パネル７には緊急警報が瞬時に表示され、ユーザに災害の発生を素早く認知させることが可能である。
【００２２】
また、図示はしていないが、緊急情報識別信号１０を受信したマイコン８は、緊急情報をＯＳＤ表示させる際に、別途音声による警報をメモリに記憶しておいて、一律の警報を音声として通報するようにしてもよい。
なお、実施例では液晶テレビについて説明したが、本発明を適用可能なテレビは、液晶テレビに制限されないことは明らかである。
【産業上の利用可能性】
【００２３】
以上のように本発明によれば、緊急災害放送受信時に、この受信信号をデコーダ、映像処理４で処理することなく、表示処理部のＯＳＤ機能を直接作動させて表示することにより、地震発生等の緊急防災情報を瞬時に表示して警報することができ、多くの家庭に的確なタイミングで避難情報等を通報することが可能となり、テレビを有効な防災対策として普及させることができる。
【符号の説明】
【００２４】
１      デジタル放送チューナー
２      アナログ放送チューナー
３      デコーダ
４      映像処理部
５      表示処理部
６      ＯＳＤ処理部
８      マイコン
１０      緊急情報識別信号
【図１】
2011061409.tif 000003
【図２】
2011061409.tif 000004